(57)【要約】【課題】記録されたコンテンツを繰り返し再生の制限違反を分かりやすくする再生制御方法を提供する。【解決手段】実施形態に係る再生制御方法は、録画番組の視聴回数又は視聴時間の上限を含む、再生制限条件を設定するための条件設定画面を表示器に表示し、前記条件決定画面において設定される前記再生制限条件を第１記録部に記録し、前記視聴回数または時間をカウントして第２記録部に記録し、前記再生制限条件と前記カウントされた前記視聴回数または前記時間とを照合して、再生を制限する録画番組を決定する。前記再生を制限している前記録画番組が前記上限に達した場合は、前記上限に達したことを、設定されている所定アドレスの外部端末へ通知する。【選択図】図１
2019062578.tif 000002
【特許請求の範囲】
【請求項１】
録画番組の視聴回数の上限または視聴時間の上限を少なくとも含む、録画番組の再生を制限する条件を設定するための条件設定画面を表示器に表示し、前記条件設定画面において設定される前記条件を第１記録部に記録し、
録画番組の視聴回数または視聴時間をカウントして第２記録部に記録し、
前記設定された前記条件と前記カウントされた前記視聴回数または前記視聴時間とを照合して、再生を制限する録画番組を決定し、
前記再生を制限している前記録画番組が前記上限に達した場合は、前記上限に達したことを、設定されている所定アドレスの外部端末へ通信インターフェースを介して通知する、
再生制御方法。
【請求項２】
前記所定アドレスは、前記条件設定画面で設定されたアドレスである、請求項１記載の再生制御方法。
【請求項３】
録画番組の視聴回数の上限または視聴時間の上限を少なくとも含む、録画番組の再生を制限する条件を設定するための条件設定画面を表示器に表示し、前記条件設定画面において設定される前記条件を第１記録部に記録する条件設定部と、
録画番組の視聴回数または視聴時間をカウントして第２記録部に記録する履歴管理部と、
前記設定された前記条件と前記カウントされた前記視聴回数または前記視聴時間とを照合して、再生を制限する録画番組を決定する番組決定部と、
前記再生を制限している前記録画番組が前記上限に達した場合は、前記上限に達したことを、設定されている所定アドレスの外部端末へ通知する通信インターフェースと、
を備える映像再生装置。
【請求項４】
前記所定アドレスは、前記条件設定画面で設定されたアドレスである、請求項３記載の再生制御装置。
【発明の詳細な説明】
【技術分野】
【０００１】
実施形態は、再生制御方法および映像再生装置に関する。
【背景技術】
【０００２】
近年、放送受信装置や録画再生機器は、記録容量の増大により、大量の録画番組を記録することが可能となった。また、上記放送受信装置や録画再生機器では、記録された録画番組をユーザが容易に扱えるような操作方法が提供されている。
【先行技術文献】
【特許文献】
【０００３】
【特許文献１】特開２００７−８８８９６号公報
【発明の概要】
【発明が解決しようとする課題】
【０００４】
しかしながら、録画番組を大量に記録することができ、録画番組を再生することも簡単に行える場合、ユーザは録画した番組を長時間視聴してしまうことがある。また、子供は、大人と比較して同じコンテンツを繰り返し再生する傾向があり、録画番組の視聴時間が大人よりも更に長くなることがある。
【０００５】
本発明の解決しようとする課題は、長時間視聴を防止するため、ユーザの視聴履歴に基づいて、記録されたコンテンツの視聴制限を可能とし、制限を超えた場合に所定の装置へ通知することができる再生制御方法および映像再生装置を提供することである。
【課題を解決するための手段】
【０００６】
実施形態に係る再生制御方法は、録画番組の視聴回数の上限または視聴時間の上限を少なくとも含む、録画番組の再生を制限する条件を設定するための条件設定画面を表示器に表示し、前記条件設定画面において設定される前記条件を第１記録部に記録し、
録画番組の視聴回数または視聴時間をカウントして第２記録部に記録し、
前記設定された前記条件と前記カウントされた前記視聴回数または前記視聴時間とを照合して、再生を制限する録画番組を決定し、
前記再生を制限している前記録画番組が前記上限に達した場合は、前記上限に達したことを、設定されている所定アドレスの外部端末へ通信インターフェースを介して通知する。
【図面の簡単な説明】
【０００７】
【図１】図１は、第１の実施形態に係る映像再生装置の構成の一例を示す図である。
【図２】図２は、条件設定画面の一例を示した図である。
【図３】図３は、各録画番組に関する情報が記された表の例である。
【図４】図４は、映像再生装置が行う信号処理の流れを示した図である。
【図５】図５は、映像再生装置が行う信号処理の流れを示した図である。
【図６】図６は、映像再生装置が行う信号処理の流れを示した図である。
【図７】図７は、映像再生装置が行う信号処理の流れを示した図である。
【図８】図８は、第２の実施形態に係る映像再生装置の構成の一例を示す図である。
【図９】図９は、再生制御部が表示する番組リストの一例を示した図である。
【図１０】図１０は、暗証番号入力画面の一例を示した図である。
【図１１】図１１は、再生制御部が表示する番組リストの一例を示した図である。
【図１２】図１２は、再生制御部が表示する番組リストの一例を示した図である。
【図１３】図１３は、再生制御部が表示する番組リストの一例を示した図である。
【図１４】図１４は、再生制御部が表示する番組リストの一例を示した図である。
【図１５】図１５は、映像再生装置が行う信号処理の流れを示した図である。
【発明を実施するための形態】
【０００８】
以下、図面を参照しながら実施形態に係る映像再生装置１について説明する。
【０００９】
（第１の実施形態）  
図１は、第１の実施形態に係る映像再生装置１の構成の一例を示す図である。
【００１０】
図１に示すように、第１の実施形態に係る映像再生装置１は、アンテナ１０１、入力端子１０２、チューナー部１０３、外部入力端子１０４〜１０７、信号処理部１０８、コントローラ１１０、ＯＳＤ（On - Screen Display）信号生成部１１１、グラフィック処理部１１２、映像処理部１１３、音声処理部１１４、操作部１１５、受信部１１７、カードホルダ１１９、カードインターフェース１２０、明るさセンサ１２１、ＬＡＮ端子１２２、通信インターフェース１２３、ＵＳＢ端子１２４、ＵＳＢインターフェース１２５、ＨＤＭＩ（登録商標）端子１２８、ＨＤＭＩインターフェース１２９、映像表示部１４１、スピーカ１４２、記録部１５１を備えている。
【００１１】
さらに、チューナー部１０３は、地上デジタルテレビジョン放送用のチューナー１０３１〜１０３８を備え、さらにＢＳ／ＣＳデジタルテレビジョン放送用のチューナーも備えている。地上デジタルテレビジョン放送用のチューナー１０３１〜１０３８により、地上デジタルテレビジョン放送に対応した番組表を受信し、表示することができる。また、ＢＳ／ＣＳデジタルテレビジョン放送用のチューナーにより、ＢＳ／ＣＳデジタルテレビジョン放送に対応した番組表を受信し、表示することもできる。
【００１２】
また、本実施形態では、図１に示すように、映像再生装置１が、映像表示部１４１及びスピーカ１４２を備えるケースについて説明する。しかしながら、映像再生装置１は、このような構成に限定されるものではない。例えば、映像再生装置１は、映像表示部１４１及びスピーカ１４２を含まない構成であってもよい。つまり、映像再生装置１は、ＨＤＭＩ等の接続手段を介して映像表示部１４１及びスピーカ１４２と接続する構成であってもよい。
【００１３】
また、本実施形態の映像再生装置１では、図１に示すように、記録部１５１がコントローラ１１０と一体となっているケースについて説明する。しかしながら、映像再生装置１は、このような構成に限定されるものではない。例えば、記録部１５１は、ＵＳＢ端子１２４及びＵＳＢインターフェース１２５などの接続手段を介して映像再生装置１と接続される構成であってもよい。記録部１５１は、例えば、大容量のＨＤＤ（Hard Disk Drive）であり、多くの録画番組が記録されている。
【００１４】
また、本実施形態では、図１に示すように、映像再生装置１が、複数のチューナーを備えるケースについて説明する。しかしながら、映像再生装置１は、このような構成に限定されない。例えば、映像再生装置１が、チューナーを含まない構成であってもよい。その場合、例えば、映像再生装置１は、ＬＡＮ端子１２２を介してＩＰ（Internet Protocol）放送を受信し、ＩＰ放送の複数チャンネルに対応した番組を再生したり、録画したりする構成であってもよい。
【００１５】
以下、映像再生装置１の詳細について説明する。
【００１６】
地上波放送受信用のアンテナ１０１で受信した地上デジタルテレビジョン放送信号は、入力端子１０２を介してチューナー１０３１〜１０３８に供給され、チューナー１０３１〜１０３８の地上デジタルテレビジョン放送用信号処理部で、所望のチャンネルのデジタルテレビジョン放送信号が選局される。そして、このチューナー１０３１〜１０３８で選局された複数のデジタルテレビジョン放送信号は、信号処理部１０８に供給されて、デジタルの映像信号及びデジタルの音声信号に復調される。
【００１７】
ここで、上記信号処理部１０８は、上記デジタルの映像信号及び音声信号に対して、選択的に所定のデジタル信号処理を施し、グラフィック処理部１１２及び音声処理部１１４に出力している。
【００１８】
また、上記信号処理部１０８には、例えば４つの入力端子１０４〜１０７が接続されている。これら入力端子１０４〜１０７は、それぞれ、アナログの映像信号及び音声信号を、映像再生装置１の外部から入力可能とするものである。
【００１９】
そして、この信号処理部１０８は、各入力端子１０４〜１０７からそれぞれ供給されたアナログの映像信号及び音声信号を選択的にデジタル化し、このデジタル化された映像信号及び音声信号に対して所定のデジタル信号処理を施した後、グラフィック処理部１１２及び音声処理部１１４に出力している。
【００２０】
このうち、グラフィック処理部１１２は、信号処理部１０８から供給されるデジタルの映像信号に、ＯＳＤ信号生成部１１１で生成されるＯＳＤ信号を重畳して出力する機能を有する。このグラフィック処理部１１２は、信号処理部１０８の出力映像信号と、ＯＳＤ信号生成部１１１の出力ＯＳＤ信号とを選択的に出力することができる。
【００２１】
そして、グラフィック処理部１１２から出力されたデジタルの映像信号は、映像処理部１１３に供給される。映像処理部１１３により処理された映像信号は、映像表示部１４１に供給される。映像表示部１４１は、映像信号に基づく映像を表示する。
【００２２】
また、上記音声処理部１１４は、入力されたデジタルの音声信号を、スピーカ１４２で再生可能なフォーマットのアナログ音声信号に変換した後、スピーカ１４２に出力して音声再生させる。
【００２３】
ここで、この映像再生装置１において、上記した各種の受信動作を含むその全ての動作は、コントローラ１１０によって統括的に制御されている。コントローラ１１０は、ＣＰＵ（central processing unit）１１００等を備え、操作部１１５からの操作情報（各種指示）、または、リモートコントローラ１１６から送出され受信部１１７を介して受信した操作情報（各種指示）を受けて、その操作内容が反映されるように各モジュール等をそれぞれ制御する。
【００２４】
また、コントローラ１１０は、コンテンツの再生制御の機能も有しており、入力された操作情報に応じてコンテンツ再生を制御する。なお、受信部１１７及びリモートコントローラ１１６は、電波等を用いる無線通信により操作信号の送受信を行うものであってもよいし、赤外線を利用するものであってもよい。ここで、コンテンツとは、例えば、受信した放送信号を録画した録画番組、ビデオカメラ等で撮影して記録した記録コンテンツ、インターネット上に接続されたサーバに蓄えられているデータ等を示す。
【００２５】
また、コントローラ１１０は、ＣＰＵ１１００が実行する制御プログラムを格納したＲＯＭ（read only memory）１１０１と、ＣＰＵ１１００に作業エリアを提供するＲＡＭ（random access memory）１１０２と、各種の設定情報及び制御情報等が格納される不揮発性メモリ１１０３と、を備えている。
【００２６】
また、コントローラ１１０は、カードインターフェース１２０を介して、メモリカード１１８が装着可能なカードホルダ１１９に接続されている。これによって、コントローラ１１０は、カードホルダ１１９に装着されたメモリカード１１８と、カードインターフェース１２０を介して、情報の送受信を行なうことができる。
【００２７】
また、上記コントローラ１１０は、通信インターフェース１２３を介してＬＡＮ端子１２２と接続されている。コントローラ１１０は、ＬＡＮ端子１２２に接続されたＬＡＮ対応機器と、通信インターフェース１２３を介して情報の送受信を行なうことができる。この場合、コントローラ１１０は、ＤＨＣＰ（dynamic host configuration protocol）サーバ機能を有し、ＬＡＮ端子１２２に接続されたＬＡＮ対応機器にＩＰアドレスを割り当ててＬＡＮ対応機器を制御している。ＬＡＮ端子１２２は、無線ＬＡＮの子機が接続されていてもよく、有線ＬＡＮの端子が接続されていてもよい。映像再生装置１は、通信インターフェース１２３を介して、ネットワークに接続された、サーバおよびスマートフォンならびにタブレットといった携帯端末と通信可能である。
【００２８】
さらに、上記コントローラ１１０は、ＨＤＭＩインターフェース１２９を介してＨＤＭＩ端子１２８と接続されている。これにより、コントローラ１１０は、ＨＤＭＩ端子１２８に接続されたＨＤＭＩ対応機器と、ＨＤＭＩインターフェース１２９を介して情報の送受信を行なうことができる。
【００２９】
そして、上記コントローラ１１０は、ＵＳＢインターフェース１２５を介してＵＳＢ端子１２４と接続されている。これにより、コントローラ１１０は、ＵＳＢ端子１２４に接続されたＵＳＢ対応機器と、ＵＳＢインターフェース１２５を介して情報の送受信を行な
うことができる。
【００３０】
さらに、上記コントローラ１１０は、チューナー部１０３により選局されデスクランブルされた放送信号を、記録部１５１またはＬＡＮ端子１２２もしくはＵＳＢ端子１２４を介して接続された外部記憶装置（ＨＤＤなど）へ録画するための録画動作を制御することもできる。
【００３１】
さらに、上記コントローラ１１０は、明るさセンサ１２１からの明るさ検出信号を受信するように構成されている。これにより、コントローラ１１０は、明るさ検出信号に基づき、映像及びバックライトの明るさ等を制御することができる。
【００３２】
上述したように、映像再生装置１が備えるチューナー部１０３は、複数のチューナー１０３１〜１０３８を有する。そのため、映像再生装置１は、同時に、複数チャンネルの番組を録画することができる。また、映像再生装置１は、同時に、複数チャンネルの番組を表示することもできる。また、映像再生装置１は、スクランブル放送を認証する機能も備えている。
【００３３】
第１の実施形態において、上記コントローラ１１０は、条件設定部２１０、履歴管理部２２０および番組決定部２３０を更に備える。
【００３４】
条件設定部２１０は、録画番組の再生を制限する条件を設定するための条件設定画面２を表示器に表示する。図２は、条件設定画面２の一例を示した図である。条件設定画面２の画面上方には、「視聴制限条件設定」のタイトルが表示されている。条件設定画面２の画面中央には、録画番組の再生を制限する条件を設定する複数の欄Ｂ２１〜Ｂ２８が配置されている。条件設定画面２の下方には、決定ボタンＢ３０とキャンセルボタンＢ４０とが配置されている。
【００３５】
設定欄Ｂ２１は、再生を制限したい録画番組のジャンルを設定する。図２に示した例では、再生を制限したい録画番組のジャンルが、アニメに設定されている。この場合、ジャンルがアニメである録画番組の視聴回数または視聴時間が制限される。録画番組のジャンルは、例えば、放送信号に含まれているジャンル情報から知ることができる。
【００３６】
設定欄Ｂ２２は、再生を制限したい録画番組のキーワードを設定する。例えば、「妖怪」というキーワードを指定した場合、番組情報に「妖怪」というキーワードが含まれている録画番組の視聴回数または視聴時間が制限される。キーワードは、ＯＲ条件またはＡＮＤ条件で複数指定することが可能である。
【００３７】
設定欄Ｂ２３は、再生を制限したい録画番組の番組名を設定する。例えば、「妖怪モンスター」という番組名を指定した場合、番組名が「妖怪モンスター」である録画番組の視聴回数または視聴時間が制限される。
【００３８】
設定欄Ｂ２４は、録画番組の視聴可能回数または視聴可能時間を設定する。他の設定欄で設定した条件に合致する録画番組の再生は、設定欄Ｂ２４で設定した視聴可能回数または視聴可能時間に制限される。
【００３９】
ユーザは、視聴回数の定義を任意に設定し、記録部１５１または不揮発性メモリ１１０３に記録可能である。例えば、録画番組を所定時間または録画番組全体の所定割合まで再生した場合、録画番組を１回視聴したことになるように設定できる。ここで、所定時間とは、例えば、５分、１０分、１５分または３０分であってもよく、それ以外の任意の時間でもよい。また、所定割合とは、例えば、全体の１割、２割、３割または５割であってもよく、それ以外の任意の割合でもよい。
【００４０】
設定欄Ｂ２５は、録画番組の再生を制限する期間を設定する。例えば、再生を制限する期間を１日に設定した場合、録画番組の再生が制限されてから１日経過後に、録画番組の再生の制限が解除される。
【００４１】
設定欄Ｂ２６は、メールアドレスを設定する。録画番組の視聴が、設定した視聴可能回数または視聴可能時間の上限に達した場合、映像再生装置１は、通信インターフェース１２３を介して、設定したメールアドレス宛てにその旨を通知することができる。例えば、メールを受信した保護者は、子供に対してテレビの視聴をやめるよう促すことができる。
【００４２】
設定欄Ｂ２７は、視聴回数または視聴時間が設定した上限に達した場合に、自動的に記録部１５１から削除する録画番組を設定する。自動的に削除する録画番組は、例えば、視聴回数または視聴時間が設定した上限に達した録画番組そのものであってもよく、その他の録画番組でもよい。この機能によって、ユーザは、所定回数または所定時間視聴した録画番組、をコンテンツリストから除外することができる。また、ユーザが所定の録画番組を複数回視聴した場合、続いて視聴しそうな録画番組を予め登録しておくことによって、番組リストから除外することもできる。
【００４３】
設定欄Ｂ２８は、下に説明する履歴管理部２２０が録画番組の視聴回数または視聴時間をカウントする期間を設定する。換言すると、履歴管理部２２０は、上記設定した期間に基づいて、特定の録画番組を初めて視聴してから一定期間経過後に、当該録画番組の視聴時間または視聴回数を０分または０回に更新する。例えば、特定の録画番組を初めて視聴してから２４時間、４８時間または７２時間経過後に当該録画番組の視聴時間または視聴回数を０分または０回に更新する。または、日付変更時、週が変わる際、若しくは特定の曜日が終了した時など、所定の時刻に、履歴管理部２２０が記録した視聴履歴は、クリアーされる。
【００４４】
ユーザは、条件設定画面２において、他にも種々の条件を設定することが可能である。例えば、録画番組の再生が条件を満たした際に、映像再生装置１から警告音が鳴るよう設定を行うことができる。また、録画番組の再生が条件を満たした際に、映像再生装置１は、アニメ番組から指定された教育番組などへ、自動的に再生する録画番組のジャンルを変更するよう設定されてもよい。
【００４５】
さらにまた、録画番組の再生が条件を満たした際に、映像再生装置１の表示器に、「今日はこれ以上再生できません」、「今週は既に５時間もアニメを視聴しています」などの警告画面を表示するよう設定してもよい。また、映像再生装置１は、通信インターフェース１２３を介して、ネットワークに接続された他の映像再生装置または録画再生機器に対して、同様に、番組決定部２３０が決定した録画番組の再生を制限するように指示する命令を送信してもよい。
【００４６】
条件設定部２１０は、条件設定画面２においてなされる上記の設定を、例えば、不揮発性メモリ１１０３に記録する。
【００４７】
履歴管理部２２０は、録画番組の視聴回数または視聴時間をカウントし、カウントした値を、例えば、不揮発性メモリ１１０３に記録する。図３は、不揮発性メモリ１１０３に記録された各録画番組に関する情報が記された表３の例である。
【００４８】
表３の第１列Ｃ３１には、録画番組ＩＤが記録されている。表３の第２列Ｃ３２には、録画番組ＩＤに対応する番組名が記録されている。表３の第３列Ｃ３３には、録画番組のジャンルが記録されている。表３の第４列Ｃ３４には、録画番組を放送した放送局名が記録されている。表３の第５列Ｃ３５には、録画番組の放送開始日時が記録されている。表３の第６列Ｃ３６には、録画番組の放送時間が記録されている。表３の第７列Ｃ３７には、録画番組のこれまでの視聴回数が記録されている。表３の第８列Ｃ３８には、録画番組が条件設定部２１０で設定した条件を満たしているか否かが記されている。
【００４９】
なお、放送時間は、実際に放送された時間の代わりに、記録された時間を記録してもよい。また、表３の第７列Ｃ３７には、録画番組のこれまでの視聴時間を記録してもよい。また、上述したとおり、視聴履歴管理部２２０による録画番組の視聴回数または視聴時間のカウントは、所定の時間後にクリアーされてもよい。カウントをクリアーする時間は、上記条件設定画面２において設定可能である。
【００５０】
番組決定部２３０は、条件設定画面２において設定された条件と、履歴管理部２２０によってカウントされた、録画番組の視聴回数または視聴時間と、を照合して再生を制限する録画番組を決定する。番組決定部２３０は、更に録画番組に関する番組情報も併せて照合して、再生を制限する録画番組を決定してもよい。番組決定部２３０は、例えば、決定した録画番組のタイトルおよび再生を制限することを決定した日時を、不揮発性メモリ１１０３に記録する。
【００５１】
また、番組決定部２３０は、条件設定画面２における種々の設定を実行する。番組決定部２３０は、例えば、視聴回数または視聴時間が上限を超えた場合に、外部の携帯端末にメールする、警告音を鳴らす、警告画面を表示する、強制的に別の番組を再生する等のための信号を生成する。
【００５２】
以上が、実施形態に係る映像再生装置１の構成の概略的な説明である。以下に、上記構成が採用された映像再生装置１が行う信号処理について、フローチャートを参照しながら説明する。
【００５３】
図４は、条件設定画面２において、録画番組の再生を制限する条件を設定または変更してから、番組決定部２３０が、再生を制限する録画番組の登録を更新し終えるまでのフローを示した図である。
【００５４】
表示器に表示された条件設定画面２において、録画番組の再生を制限する条件を設定するか又は変更した場合（[４０]）、番組決定部２３０は、記録された録画番組の中から録画番組を抽出し、抽出した録画番組に関する情報（履歴管理部２２０が記録部に記録した再生履歴に関する情報を含む）を取得する（[４２]）。続いて、番組決定部２３０は、抽出した録画番組が、再生を制限する条件を満たすか否かを判定する（[４４]）。
【００５５】
抽出した録画番組が再生を制限する条件を満たした場合（[４４−ＹＥＳ]）、抽出した録画番組を、再生を制限する録画番組として登録する（[４６]）。抽出した録画番組が再生を制限する条件を満たさない場合（[４４−ＮＯ]）、抽出していない録画番組があるか否かを判定する（[４８]）。
【００５６】
記録部１５１に記録された全ての録画番組について、再生を制限するか否かの判断が済んだ場合（[４８−ＹＥＳ]）、番組決定部２３０は、録画番組の抽出をやめる。記録部１５１に記録された全ての録画番組について、再生を制限するか否かの判断が済んでいない場合（[４８−ＮＯ]）、番組決定部２３０は、再度録画番組を抽出し（[４２]）、同じ処理を繰り返す。
【００５７】
図５は、記録部１５１に記録された録画番組を再生してから、番組決定部２３０が、再生を制限する録画番組の登録を更新し終えるまでのフローを示した図である。
【００５８】
記録部１５１に記録された録画番組を再生した場合、履歴管理部２２０が、視聴履歴（視聴回数または視聴時間）を更新し、不揮発性メモリ１１０３に更新した情報を記録する（[５０]）。続いて、番組決定部２３０が、当該再生した録画番組に関する情報（履歴管理部２２０が記録部に記録した再生履歴に関する情報を含む）を取得する（[５２]）。
【００５９】
番組決定部２３０は、取得した情報に基づいて、当該再生した録画番組が再生を制限する録画番組であるか否かを判定する（[５４]）。当該再生した録画番組が再生を制限する条件を満たした場合（[５４−ＹＥＳ]）、当該再生した録画番組を、再生を制限する録画番組として登録する（[５６]）。抽出した録画番組が再生を制限する条件を満たさない場合（[５４−ＮＯ]）、番組決定部２３０は、処理を終了する。
【００６０】
図６は、記録部１５１に記録された録画番組を再生してから、番組決定部２３０が、再生を制限する録画番組を記録部１５１から削除し終えるまでの処理の流れを示した図である。図６の処理の流れでは、視聴制限条件と一致した録画番組を、不揮発性メモリ１１０３に登録せずに記録部１５１から録画番組のデータ自体を削除する（[６６]）点が、図５とは異なる。
【００６１】
図７は、記録部１５１に記録された録画番組を最初に再生してから、履歴管理部２２０が記録したデータを所定の時刻にクリアーする処理の流れを示した図である。
【００６２】
映像再生装置１が、放送信号に含まれる時刻の情報または通信インターフェース１２３を介して、現在時刻を取得する（[７０]）。現在時刻が条件設定部２１０で設定した所定の時刻を過ぎている場合（[７２−ＹＥＳ]）、履歴管理部２２０が記録した視聴履歴をクリアーして（[７４]）、処理を終了する。現在時刻が条件設定部２１０で設定した所定の時刻を過ぎていない場合（[７２−ＮＯ]）、再度現在時刻の取得を行う（[７０]）。なお、現在時刻は、映像再生装置１に内蔵された時計を参照してもよい。
【００６３】
以上が第１の実施形態に係る映像再生装置１に係る構成と信号処理の説明である。上記の構成を採用した映像再生装置１によれば、録画番組の再生を制限する条件と上記条件を満たした録画番組を登録することができる。また、再生した録画番組が上記条件を満たすに至った場合、設定した動作を実行して知らせることができる。従って、上記構成が採用された映像再生装置１では、長時間視聴を防止するため、ユーザの視聴履歴に基づいて、記録されたコンテンツの視聴制限を可能とする。
【００６４】
（第２の実施形態）
図８は、第２の実施形態に係る映像再生装置１の構成の一例を示す図である。
【００６５】
第２の実施形態に係る映像再生装置１は、コントローラ１１０内に、再生制御部２４０を更に備える。例えば、ユーザがリモートコントローラ１１６のキーを押下すると、再生制御部２４０は、再生を制限する録画番組を含まない番組リストを表示器に表示する。または、再生制御部２４０は、番組決定部２３０が決定した録画番組であることを確認できる情報が付加された番組リストを表示器に表示する。即ち、再生制御部２４０は、再生を制限する録画番組を番組リストに表示しないかまたは再生が制限された録画番組であることがわかる情報を番組リストに付加して表示する。
【００６６】
図９、１１、１２、１３および１４は、再生制御部２４０が表示する番組リストの一例である。図１０は、暗証番号入力画面の一例である。以下、図９〜１４を参照しながら、再生制御部２４０が表示する番組リストについて説明する。
【００６７】
図９の番組リスト９では、画面上方に「録画番組リスト」というタイトル９０が表示され、タイトル９０の下方には、各録画番組の番組名、放送日時、視聴制限の可否を表示した欄Ｍ９１〜Ｍ９５を含む番組欄Ｒ９１〜Ｒ９５が表示されている。録画番組が再生を制限されている場合、欄Ｍ９１〜Ｍ９５には「視聴制限」の文字が表示され、録画番組が再生を制限されていない場合、欄Ｍ９１〜Ｍ９５は空欄となる。番組リスト９では、Ｍ９３欄に「視聴制限」の文字が表示され、番組３の再生が制限されている。
【００６８】
再生が制限された録画番組は、暗証番号を入力することによって再生の制限を解除されてもよい。図１０の暗証番号入力画面１０の例では、画面上方に「視聴制限解除コードを入力してください」というメッセージが表示され、画面中央には、４ケタの暗証番号入力欄１０Ａが表示され、画面下方には、入力決定ボタン１０Ｂが表示されている。暗証番号入力画面１０は、例えば、番組リスト９において番組欄Ｒ９３を選択して決定すると、再生制御部２４０によって表示される。
【００６９】
図１１の番組リスト１１は、複数の放送局の番組がシームレスに録画された場合の番組リストの例である。番組リスト１１の第１列Ｃ１には、番組が放送された日時が記され、第２列Ｃ２〜第６列Ｃ６には、放送局毎に記録された録画番組が表示されている。番組リスト１１では、番組９が既に１回視聴され、番組１２および番組２２が既に２回視聴されたことが、番組欄右上に表示されている。
【００７０】
また、番組３および番組２５の欄は、表示色が反転しており、再生が制限された録画番組であることが確認できるようになっている。番組３および番組２５を再生する場合は、番組リスト９と同様に、ポップアップされた暗証番号入力画面において、正しい暗証番号を入力する。
【００７１】
図１２は、放送番組または再生番組を画面に表示している際に、画面下方に番組リスト１２が重畳された画面の例である。番組リスト１２では、記録部１５１に記録された特定ジャンルの録画番組の番組欄Ｓ１〜Ｓ６が横一列に表示されている。各番組欄Ｓ１〜Ｓ６には、録画番組のタイトル、放送日時、サムネイル画像、および放送局名が表示されている。
【００７２】
番組リスト１２では、番組２が再生を制限された録画番組である。番組リスト１２において、再生を制限された番組２のサムネイル画像は表示されず、代わりに「視聴制限回数を超えています」というメッセージが表示されている。番組２の再生の制限は、番組リスト７と同様、暗証番号を入力して解除されるように設定されてもよい。
【００７３】
図１３は、図１２と異なり、録画番組のサムネイル画像が一切表示されず、代わりにアニメ番組の再生が制限されていることを伝える警告メッセージＷ１３０が画面下方に表示されている。図１３の表示画面は、例えば、条件設定部２１０において再生を制限したいジャンルを指定し、指定したジャンルの録画番組の視聴回数または視聴時間が上限を超えた場合に表示される。
【００７４】
図１４は、図１２と異なり、録画番組の視聴可能時間と、録画番組が最後まで視聴できないことと、を伝えるメッセージＷ１４０およびタイマーＴ１４０が表示されている。タイマーＴ１４０は、画面右上に表示され、再生する録画番組の視聴可能時間を示している。メッセージＷ１４０は、例えば、番組のサムネイルにカーソルを合わせたときにポップアップ表示される。または、メッセージＷ１４０は、番組の再生開始時もしくは再生後に表示されてもよい。
【００７５】
図１５は、受信部１１７が番組リストを表示する指示を受け付けてから、表示制御部２４０が番組リストを映像表示部１４１（表示器）に表示するまでの処理の流れを示したブロック図である。再生制御部２４０は、受信部１１７が番組リストを表示する指示を受け付けた後、不揮発性メモリ１１０３に記録された録画番組に関する情報を参照する。再生制御部２４０は、番組決定部２２０が記録した再生を制御する録画番組の情報および履歴管理部２２０が記録した再生履歴を参照して、映像表示部１４１に番組リストを表示する。
【００７６】
第２の実施形態に係る映像再生装置１は、再生を制限する録画番組を番組リストに表示しないか、または、再生が制限された録画番組であることがわかる情報を番組リストに付加して表示する。従って、上記構成が採用された映像再生装置１では、また、長時間視聴を防止するため、ユーザの視聴履歴に基づいて、記録されたコンテンツの視聴制限を可能とする。
【００７７】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００７８】
例えば、実施形態に係る映像再生装置が記録部１５１に記録した内容は、代わりに、不揮発性メモリ１１０３に記録してもよく、記録部１５１と不揮発性メモリ１１０３の双方に記録してもよい。また、実施形態に係る映像再生装置が不揮発性メモリ１１０３に記録した内容は、代わりに、記録部１５１に記録してもよく、記録部１５１と不揮発性メモリ１１０３の双方に記録してもよい。
【００７９】
また、上の説明において、「録画番組」としたところは、例えば、携帯レコーダーで記録した映像データ、インターネット上にアップされた映像データ、または、音声データに置き換えてもよい。その場合、条件設定画面２において、例えば、「番組名」とした欄を「ファイル名」へ変更する。
【００８０】
また、上で説明した実施形態では、再生を制限したい録画番組を、条件設定画面２において設定した。条件設定画面２において設定するジャンル、番組名等は、ユーザの好みのジャンル、番組名等を映像再生装置１が学習し、自動で指定されるようにしてもよい。
【００８１】
また、再生を制限する録画番組を、例えば、ユーザの嗜好度が高い録画番組に制限してもよい。その場合、公知の方法を用いて、各録画番組についてのユーザの嗜好度を計量化し、上位から所定の数の録画番組の視聴回数または視聴時間を制限するようにする。例えば、ユーザの嗜好度が上位３０の各録画番組については、視聴回数を２回までに設定するといった具合である。または、ユーザの嗜好度が高い上位３０の録画番組については、各録画番組の合計の視聴回数を２０回までとしてもよい。
【００８２】
また、上記条件設定部２１０において設定する条件は、時間帯毎または曜日毎に決定されてもよい。例えば、土曜日または日曜日といった祝日では、録画番組の視聴可能時間を多く設定することができる。
【符号の説明】
【００８３】
１…映像再生装置、１０１…アンテナ、１０２…入力端子、１０３…チューナー部、１０４〜１０７…外部入力端子、１０８…信号処理部、１１０…コントローラ、１１１…ＯＳＤ信号生成部、１１２…グラフィック処理部、１１３…映像処理部、１１４…音声処理部、１１５…操作部、１１７…受信部、１１９…カードホルダ、１２０…カードインターフェース、１２１…明るさセンサ、１２２…ＬＡＮ端子、１２３…通信インターフェース、１２４…ＵＳＢ端子、１２５…ＵＳＢインターフェース、１２８…ＨＤＭＩ端子、１２９…ＨＤＭＩインターフェース、１４１…映像表示部、１４２…スピーカ、１５１…第１記録部、２１０…条件設定部、２２０…履歴管理部、２３０…番組決定部、２４０…再生制御部、９、１１、１２、１３、１４…番組リスト、１０…暗証番号入力画面、Ｗ１３０、Ｗ１４０…メッセージ、Ｔ１４０…タイマー。
【図１】
2019062578.tif 000003
【図２】
2019062578.tif 000004
【図３】
2019062578.tif 000005
【図４】
2019062578.tif 000006
【図５】
2019062578.tif 000007
【図６】
2019062578.tif 000008
【図７】
2019062578.tif 000009
【図８】
2019062578.tif 000010
【図９】
2019062578.tif 000011
【図１０】
2019062578.tif 000012
【図１１】
2019062578.tif 000013
【図１２】
2019062578.tif 000014
【図１３】
2019062578.tif 000015
【図１４】
2019062578.tif 000016
【図１５】
2019062578.tif 000017